(57)【要約】      （修正有）【課題】スピーディ且つ、快適なショッピングを実現する為に、安全に誤りなく商品を、購入する事ができる様に、商品購入行為を電気信号に変換、電子データ化して、コンピュータ制御により、自動決済を可能にした商品購入確認スイッチ付商品陳列棚及び自動決済装置を提供する。【解決手段】商品購入確認スイッチ付商品陳列棚８に値札表示器９内にタッチスイッチの形で設けてある。商品購入の際に、画面に触れる事で商品購入行為を電気信号に変換することを可能とした商品陳列棚である。又、周辺装置として設けたショッピング開始ゲート１、終了ゲート１３等をコントロールコンピュータ２２でシステム化して、購入商品の決済時間の大幅な短縮を図る事ができる。【選択図】図１
0003156236.tif 000002
【実用新案登録請求の範囲】
【請求項１】
商品陳列棚に、タッチスイッチを値札表示器内に設けて、商品購入行為の確認として、電気信号に変換する事が出来る様に、組み合わせた、商品購入確認スイッチ付商品陳列棚。
【請求項２】
ショッピング開始ゲート及び、終了ゲート等に、商品重量検出センサとして、ロードセルを取り付けて、購入商品の重量の変化から、購入した商品が、判明確認出来る様に電気信号に変換して、自動的に、購入商品の決済が出来る自動決済装置。
【考案の詳細な説明】
【技術分野】
【０００１】本考案は、商品陳列棚に、商品購入確認スイッチ及び、画像処理ＣＣＤカメラ、携帯端末器利用の赤外線通信システムを、組み合わせた、商品購入確認スイッチ付商品陳列棚及び、商品重量検出センサを取り付けて購入商品の重量の変化から、購入商品が判明確認出来る様に、電気信号に変換して自動的に、購入商品の決済が出来る、ショッピング開始ゲート及び、終了ゲート等の周辺装置。これらを制御コントロールする、コントロールコンピュータから成る、商品購入確認スイッチ付商品陳列棚及び、自動決済装置である。
【背景技術】
【０００２】商品購入決済に際して、レジエリアにて、バーコードリーダにて、商品価格の読み取り、集計等、ショッピング籠から、商品を取り出して別の籠に移し替えながら行っている。
これらの集計業務が、終了後に商品決済を行っている。
【先行技術文献】
【０００３】
【特許文献１】  特開２００９−０９１１０２号  広報
【特許文献２】  特開２００９−０７２３９１号  広報
【特許文献３】  特開２００６−３５０８９３号  広報
【考案の概要】
【考案が解決しようとする課題】
【０００４】従来の方法で、購入商品の決済業務を行った場合、商品数の多い時及び、御客が多い時間帯等に於いて、決済業務に時間が掛り過ぎて、決済待ちが発生する。時間的無駄精神的ストレスと成る。商品購入行為を、機械的及び、電気的に決済以前に、確認及び、認識して集計する事によって、購入商品決済業務の効率改善を図る事が出来る。決済業務時間の短縮が図られる事で、前述の時間的無駄、精神的ストレス等の問題点を解決している。
【問題を解決するための手段】
【０００５】本考案の、商品購入確認スイッチ付商品陳列棚及び、自動決済装置は商品陳列棚の値札表示器内に設けたタッチスイッチにて商品を購入した事を、電気信号に変換するスイッチである。又、顧客自身が正常な購入行為によって商品を購入した事を確認する画像処理ＣＣＤカメラ、これら電気信号を制御コントロールする、コントロールコンピュータで、演算処理する。システムとの会話形態は、携帯端末器利用の赤外線通信システム及び、押しボタンスイッチにて行なう。自動決済が可能な周辺装置としてショッピング開始ゲート及び、終了ゲート等を結び合わせたトータルシステムを構築する。商品購入確認スイッチ付商品陳列棚及び、自動決済装置はショッピング過程中に購入金額を集計する事により、大幅な決済時間短縮が、可能となる。結果、レジ待ち時間の短縮が図られる事で、問題点を解決している。
【考案の効果】
【０００６】本考案の、商品購入確認スイッチ付商品陳列棚及び、自動決済装置によるショッピングはレジエリアに商品が搬入される以前に、購入商品金額の集計が完了している為、決済時間が大幅に短縮されるので、快適なショッピングが可能となる。又、在庫管理及び、販売状況の把握等容易になる。又、防犯面に於いても有効である。
【図面の簡単な説明】
【０００７】
【図１】本考案の商品購入確認スイッチ付商品陳列棚及び自動決済装置の正面図である。
【考案を実施するための形態】
【０００８】本考案である、商品購入確認スイッチ付商品陳列棚及び、自動決済装置によるショッピングに際して、最初にショッピング開始ゲートを通る。顧客データを作成する。ＣＣＤ画像処理カメラにて、顧客固有の画像処理データ及び、ショッピングバッグ、買物袋等の、初期重量を測定する。これら顧客固有データが、コントロールコンピュータに送られる。携帯端末器利用者は赤外線通信にてショッピング準備完了信号を送信する顧客データがコントロールコンピュータに記憶される．携帯端末器画面及び、ショッピング開始ゲート表示器に、ショッピング準備完了を表示する。携帯端末器未利用者はショッピング開始ゲートの押しボタンスイッチにて、ショッピング準備完了信号を、送信する。以上でショッピング開始である。商品購入に際して、商品購入確認スイッチ付商品陳列棚に確認スイッチは、値札表示器内にタッチスイッチの形で設けてある。スイッチ単位に、商品名、価格、重量等のデータが、コントロールコンピュータに入力してある。又、値札表示器は商品名、価格等表示する。商品購入時に、値札表示器画面に軽く触れると、タッチスイッチが、動作して商品購入確認信号としてコントロールコンピュータに送られる。ＣＣＤ画像処理カメラにて、画像処理データが、顧客である事が確認出来ると、値札表示器に購入完了を表示する。携帯端末器にて赤外線通信を、行うと画面に購入内容として商品名価格、重量等を表示する。この様な操作にて他商品を購入する事が出来る。商品購入確認スイッチ信号により商品購入が、実行されたと判断してコントロールコンピュータは、演算処理して記憶する。顧客がショッピング途中で購入金額等を把握したい場合に商品陳列棚本体にある表示器内のタッチスイッチに触れると現在迄に購入した商品名、価格重量等の合計値を表示する。又、ＣＣＤ画像処理カメラにて、異常購入行為を監視、万一発見の際には、警告音声が流れる。ショッピング終了に際して、ショッピング終了ゲートにて購入商品の決済を行う。ショッピング終了ゲートは、ＣＣＤ画像処理カメラ、購入商品重量測定テーブル、赤外線通信システム、ショッピング終了押しボタンスイッチ、表示器、各種決済器、レシート発行器等で構成する。ショッピング終了ゲート到着に際して、購入商品重量測定テーブルに、ショッピングバッグ及び、購入商品の入った袋等を載せる。
購入商品の重量を測定する。携帯端末器利用者は赤外線通信にてショッピング終了信号を送信する。購入商品名、価格、重量等又、購入商品金額の合計値を終了ゲート表示器及び、携帯画面に表示する。誤りがなければ決済実行信号を送信する。決済器が動作有効状態になる。現金及び、カード等、適切に決済が実行されると、レシートが発行されて、ショッピングが終了する。携帯端末器未利用者はショッピング終了押しボタンスイッチを、操作して一連の決済を行う。
【実施例】
【０００９】以下添付図に従って一実施例を説明する。１はショッピング開始ゲート本体である。アルミニウム又は、カラー鋼板等適宜素材とする。２は液晶表示器である。ショッピング準備完了を表示する。３はショッピングバッグ及び、袋重量測定テーブルである。ショッピングバッグ及び、袋等の初期重量を測定する。４はショッピング準備完了押しボタンスイッチである。携帯端末器未利用者が、使用する。押しボタンスイッチを操作すると、ショッピング開始時刻データを作成する。５はＣＣＤ画像処理カメラＡである。顧客画像データを作成する。これら重量、時刻、画像データがコントロールコンピュータに送信されて顧客リストデータを記憶して２液晶表示器にショッピング準備完了を表示する。ショッピング開始である。６は赤外線通信システムＡである。携帯端末器利用者が使用する。携帯端末器の赤外線通信にてショッピング準備完了信号を送信すると携帯画面にショッピング準備完了が表示される。データ処理内容は押しボタンスイッチと同様とする。【００１０】商品購入確認スイッチ付商品陳列棚本体である。アルミニウム、カラー鋼板等適宜素材とする。８は商品購入確認スイッチ付商品陳列棚である。９は商品購入確認スイッチ付値札表示器である。購入確認スイッチは値札表示器内にタッチスイッチの形で設けてある。スイッチ単位に商品名、価格、商品重量等が、コントロールコンピュータに、入力されている。商品購入時、値札表示器画面に軽く触れると商品購入確認信号を２２のコントロールコンピュータに送信する購入実行と判断して１０のＣＣＤ画像処理カメラＢにて画像処理データにて、顧客である事が確認できると９の商品購入確認スイッチ付値札表示器に購入完了を表示する１１は購入商品金額表示器である。ショッピング途中で購入金額等を把握したい時に、表示器画面に触れると現時点迄の購入合計金額を表示する。
１２は赤外線通信システムＢである。携帯端末器にて赤外線通信を行うと携帯画面に価格、重量等、表示する。これら一連の操作にて、他商品を購入する事が出来る。
商品購入確認信号により、商品購入が実行されたと判断して、２２のコントロールコンピュータは演算処理して記憶する。又、１０のＣＣＤ画像処理カメラＢは、不正購入行為を、監視モニタ万一、発見した場合、警告音声が流れる。【００１１】ショッピング終了に際して、ショッピング終了ゲートにて購入商品の決済を行う。１３はショッピング終了ゲート本体である。アルミニウム、カラー鋼板当適宜素材とする。ショッピング終了ゲート到着に際して、１４のショッピング終了購入商品重量測定テーブルに、ショッピングバッグ及び、買物袋等を、載せる。最終購入商品の重量を測定する。
１５はショッピング終了押しボタンスイッチである。スイッチを押すと１８の液晶表示器に購入商品名、価格、重量及び、これらの合計値を表示する。表示内容に誤りがなければ１８の液晶表示器画面の決済実行の文字に、触れると、決済方法を表示する。
１６のＣＣＤ画像処理カメラＣにて顧客である事を確認する。顧客の選択した決済器が有効となる。１９は現金決済器、２０はカード決済器である。選択した決済器にて決済が済むと、２１のレシート発行器がレシートを発行する。顧客がレシートを受領すと１８の液晶表示画面を初期画面に戻して、ショッピング終了である。携帯端末利用者は１７の赤外線通信システムＣを使用する。携帯端末器からショッピング終了信号を送信すると前述、同様に決済する事ができる。携帯画面を初期画面に戻して終了する。
携帯端末器利用の特徴は、銀行引き落とし及び、電子マネー等の、決済が可能な為、決済時間が大幅に短縮する事が出来る。【００１２】これら一連のシステムを制御コントロールする２２はコントロールコンピュータである。【００１３】２３はコントロールコンピュータのキーボード及びモニタである。価格、重量等の入力商品の販売、在庫状況等の表示及び、種久の入出力を行う。
【産業上の利用可能性】
【００１４】本発明の活用例として、コンビニエンスストアー、スーパー及び、デパート等の店舗に於けて、オートショッピングシステムとして利用が可能である。
【符号の説明】
【００１５】１    ショッピング開始ゲート本体
２    液晶表示器
３    ショッピングバッグ及び袋重量測定テーブル
４    ショッピング準備完了押しボタンスイッチ
５    ＣＣＤ画像処理カメラＡ
６    赤外線通信システムＡ
７    商品購入確認スイッチ付商品陳列棚本体
８    商品購入確認スイッチ付商品陳列棚
９    商品購入確認スイッチ付値札表示器
１０  ＣＣＤ画像処理カメラＢ
１１  購入商品金額表示器
１２  赤外線通信システムＢ
１３  ショッピング終了ゲート本体
１４  ショッピング終了購入商品重量測定テーブル
１５  ショッピング終了押しボタンスイッチ
１６  ＣＣＤ画像処理カメラＣ
１７  赤外線通信システムＣ
１８  液晶表示器
１９  現金決済器
２０  カード決済器
２１  レシート発行器
２２  コントロールコンピュータ
２３  コントロールコンピュータ、モニタ及びキーボード
【図１】
0003156236.tif 000003
【手続補正書】
【提出日】平成21年7月18日(2009.7.18)
【手続補正１】
【補正対象書類名】実用新案登録請求の範囲
【補正対象項目名】全文
【補正方法】変更
【補正の内容】
【実用新案登録請求の範囲】
【請求項１】
商品陳列棚に、タッチスイッチを値札表示器内に設けて、商品購入行為を電気信号に変換する事を、可能とした、商品購入確認スイッチ付き商品陳列棚、及びショッピング開始ゲート、終了ゲート等に、商品重量検出センサとしてロードセル設けた周辺装置これらの、商品購入確認信号、及び購入商品の重量変化信号等の電気信号を、組合わせて、コントロールコンピュータにて制御システム化した商品購入自動決済装置。
【手続補正書】
【提出日】平成21年9月12日(2009.9.12)
【手続補正１】
【補正対象書類名】実用新案登録請求の範囲
【補正対象項目名】全文
【補正方法】変更
【補正の内容】
【実用新案登録請求の範囲】
【請求項１】
商品陳列棚に、タッチスイッチを値札表示器内に設けて、商品購入行為の確認として、電気信号に変換する事が出来る様に、組み合わせた、商品購入確認スイッチ付商品陳列棚。
【請求項２】
請求項１に記載の商品購入確認スイッチ付商品陳列棚を備えるとともに、ショッピング開始ゲート及び、終了ゲート等に、商品重量検出センサとして、ロードセルを取り付けて、購入商品の重量の変化から、購入した商品が、判明確認出来る様に電気信号に変換して、自動的に、購入商品の決済が出来る自動決済装置。